(57)【要約】【課題】接続状態を簡単に確認できる電子式電力量計を提供する。【解決手段】外部から供給される多相電力の電圧の相順を検出する電圧相順検出部２０と、電圧相順検出部２０で検出された相順に基づき、外部から供給される多相電力の電圧の相順が正相順であるか逆相順であるかを判定する制御部７と、制御部７での判定結果に基づいて正相順又は逆相順を表す情報を表示する表示部１３と、制御部７での判定結果に基づいて正相順又は逆相順を表す情報を外部に送信する通信部１２とを備えている。【選択図】　　　図１
2004138494.tif 000002
【特許請求の範囲】
【請求項１】
外部から供給される多相電力の電圧の相順を検出する電圧相順検出部と、
前記電圧相順検出部で検出された相順に基づき、前記外部から供給される多相電力の電圧の相順が正相順であるか逆相順であるかを判定する制御部と、
前記制御部での判定結果に基づいて正相順又は逆相順を表す情報を表示する表示部と、
前記制御部での判定結果に基づいて正相順又は逆相順を表す情報を外部に送信する通信部と、
を備えることを特徴とする電子式電力量計。
【請求項２】
外部から供給される多相電力の電流方向を検出する電流方向検出部と、
前記電流方向検出部で検出された電流方向に基づき、前記外部から供給される多相電力の電流の方向が正方向であるか逆方向であるかを判定する制御部と、
前記制御部での判定結果に基づいて正方向又は逆方向を表す情報を表示する表示部と、
前記制御部での判定結果に基づいて正方向又は逆方向を表す情報を外部に送信する通信部と、
を備えることを特徴とする電子式電力量計。
【請求項３】
外部から供給される多相電力の電流方向を検出する電流方向検出部を更に備え、
前記制御部は、更に、前記電流方向検出部で検出された電流方向に基づき、前記外部から供給される多相電力の電流の方向が正方向であるか逆方向であるかを判定し、
前記表示部は、更に、前記制御部での判定結果に基づいて正方向又は逆方向を表す情報を表示し、
前記通信部は、更に、正方向又は逆方向を表す情報を外部に送信することを特徴とする請求項１記載の電子式電力量計。
【発明の詳細な説明】
【０００１】
【発明の属する技術分野】
本発明は、電子式電力量計に関し、特に電子式電力量計の接続状態を確認する技術に関する。
【０００２】
【従来の技術】
従来、大口の需要家や一般家庭に電気を供給し、或いは電力会社に電気を供給する際の使用電力量を計測する電子式電力量計が知られている。この電子式電力量計は、例えば三相３線式の場合を例に挙げると、図４に示すように、電圧入力部１、電流入力部２、電圧検出部３、電流検出部４、停電検出部５、電力演算部６ａ、中央制御部７、発振回路８、設定／操作部９、記憶部１０、表示駆動部１１、通信部１２及び表示部１３から構成されている。
【０００３】
電圧入力部１は、電源線からＲ相、Ｓ相及びＴ相といった３相交流電圧を入力し、電圧検出部３に送る。電圧検出部３は、電圧入力部１から入力された３相交流電圧を、図示しない変成器で適当な電圧に変圧する。この電圧入力部１で変圧された３相交流電圧は、停電検出部５及び電力演算部６ａに送られる。
【０００４】
電流入力部２は、電源線の第１相の電流を電源側端子１Ｓから取り込んで電流検出部４に送る。電流検出部４は、入力された電流を図示しない第１変流器を経由して電流入力部２に戻し、電流入力部２は電流検出部４からの電流を負荷側端子１Ｌから出力する。同様に、電流入力部２は、電源線の第３相の電流を電源側端子３Ｓから取り込んで電流検出部４に送る。電流検出部４は、入力された電流を図示しない第３変流器を経由して電流入力部２に戻し、電流入力部２は電流検出部４からの電流を負荷側端子３Ｌから出力する。電流検出部４は、第１変流器及び第３変流器で検出された電流を電力演算部６ａに送る。
【０００５】
停電検出部５は、商用周波数による通電状態にあるか停電状態にあるかを判定し、判定結果を中央制御部７に送る。電力演算部６ａは、停電検出部５から通電状態であることが判定されている場合に、電圧検出部３で検出された電圧と電流検出部４で検出された電流とを乗算することにより電力量を算出する。この電力演算部６ａで算出された電力量は中央制御部７に送られる。
【０００６】
中央制御部７は、発振回路８からのクロック信号に従って動作するマイクロコンピュータから構成されており、設定／操作部９からの指示に従って、記憶部１０に記憶された内容を参照しながら動作する。
【０００７】
中央制御部７は、停電検出部５で通電状態であると判定された場合に、電力演算部６ａからの電力量を取り込んで記憶部１０に格納する。そして、記憶部１０に格納された電力量を、一次側電力の定格による分周の割合で再度演算し、演算結果を表示駆動部１１及び通信部１２に送る。これにより、表示部１３が駆動されて電力量が表示される。また、演算結果は、通信部１２を介してセンタに送信される。
【０００８】
なお、図４に示した従来の電子式電力量計に関連する従来技術として、例えば特許文献１がある。
【０００９】
【特許文献１】
特許第３１１２６１１号（第３頁−６頁、第５図）
【００１０】
【発明が解決しようとする課題】
ところで、上述のように構成された従来の電子式電力量計は、３相交流電圧を逆相順で使用する場合がある。三相３線式の電子式電力量計の場合、電圧入力部１及び電圧検出部３からなる電圧回路を逆相順で使用するように接続した場合、電流入力部２及び電流検出部４からなる電流回路も逆相になるように接続（Ｒ相とＴ相を逆に接続）すれば電子式電力量の誤差の補償もされている。
【００１１】
しかしながら、電圧回路の相順と電流回路の相順とが一致しない誤接続がなされると、以下のような不都合が生じる。即ち、電圧入力部１の配線接続で相順が誤って接続された場合、電子式電力量計としての機能には支障はないが、使用する負荷の種類によっては正常動作しない装置もあり、装置の故障や劣化を起こす場合がある。また、電流入力部２の誤接続がなされた場合、電子式電力量計は正常に動作しない。
【００１２】
そこで、従来は、電圧入力部１の相順が正常に接続されているかどうかは電圧相順計１４などを用いて調査し、電流入力部２が正常に接続されているかどうかは、電流方向計１５を用いて調査することが行われている。そこで、電圧相順計や電流方向計といった外部の測定装置を用いないで、接続の正誤を確認できるような電子式電力量計が望まれている。
【００１３】
本発明は、上記要請に応えるためになされたものであり、その課題は、接続状態を簡単に確認できる電子式電力量計を提供することにある。
【００１４】
【課題を解決するための手段】
上記課題を達成すために、本発明の請求項１に係る電子式電力量計の発明は、外部から供給される多相電力の電圧の相順を検出する電圧相順検出部と、前記電圧相順検出部で検出された相順に基づき、前記外部から供給される多相電力の電圧の相順が正相順であるか逆相順であるかを判定する制御部と、前記制御部での判定結果に基づいて正相順又は逆相順を表す情報を表示する表示部と、前記制御部での判定結果に基づいて正相順又は逆相順を表す情報を外部に送信する通信部とを備えることを特徴とする。
【００１５】
請求項１の発明に係る電子式電力量計によれば、電圧相順検出部が外部から供給される多相電力の電圧の相順を検出すると、制御部は、電圧相順検出部で検出された相順に基づき、外部から供給される多相電力の電圧の相順が正相順であるか逆相順であるかを判定し、表示部は、制御部での判定結果に基づいて正相順又は逆相順を表す情報を表示し、通信部は、制御部での判定結果に基づいて正相順又は逆相順を表す情報を外部に送信する。
【００１６】
従って、電子式電力量計を取り付ける作業者は、電圧相順計を使用して調査しなくても、表示部を見るだけで、相順が正常になるように接続されたかどうかを知ることができる。また、外部においても、相順が正常になるように接続されたかどうかを適宜確認することができる。
【００１７】
請求項２の発明に係る電子式電力量計は、外部から供給される多相電力の電流方向を検出する電流方向検出部と、前記電流方向検出部で検出された電流方向に基づき、前記外部から供給される多相電力の電流の方向が正方向であるか逆方向であるかを判定する制御部と、前記制御部での判定結果に基づいて正方向又は逆方向を表す情報を表示する表示部と、前記制御部での判定結果に基づいて正方向又は逆方向を表す情報を外部に送信する通信部とを備えることを特徴とする。
【００１８】
請求項２の発明に係る電子式電力量計によれば、電流方向検出部が外部から供給される多相電力の電流方向を検出すると、制御部は、電流方向検出部で検出された電流方向に基づき、外部から供給される多相電力の電流の方向が正方向であるか逆方向であるかを判定し、表示部は、制御部での判定結果に基づいて正方向又は逆方向を表す情報を表示し、通信部は、制御部での判定結果に基づいて正方向又は逆方向を表す情報を外部に送信する。従って、電子式電力量計を取り付ける作業者は、電流方向計を使用して調査しなくても、表示部を見るだけで、電流方向が正常になるように接続されたかどうかを知ることができる。また、外部においても、電流方向が正常になるように接続されたかどうか適宜確認することができる。
【００１９】
請求項３の発明に係る電子式電力量計は、更に、外部から供給される多相電力の電流方向を検出する電流方向検出部を更に備え、前記制御部は、更に、前記電流方向検出部で検出された電流方向に基づき、前記外部から供給される多相電力の電流の方向が正方向であるか逆方向であるかを判定し、前記表示部は、更に、前記制御部での判定結果に基づいて正方向又は逆方向を表す情報を表示し、前記通信部は、更に、正方向又は逆方向を表す情報を外部に送信するように構成できる。この構成によれば、上記請求項１及び請求項２に係る電子式電力量計の特徴を併せ持つことができる。
【００２０】
【発明の実施の形態】
以下、本発明の実施の形態に係る電子式電力量計を三相３線式の電子式電力量計を例に挙げて、図面を参照しながら説明する。
【００２１】
なお、以下では、従来の技術の欄で説明した部分と同一又は相当部分には、従来の技術の欄で使用した符号と同じ符号を用いて説明する。
【００２２】
図１は本発明の実施の形態に係る電子式電力量計の構成を示すブロック図である。電子式電力量計は、電圧入力部１、電流入力部２、電圧検出部３、電流検出部４、停電検出部５、電力演算部６、中央制御部７、発振回路８、設定／操作部９、記憶部１０、表示駆動部１１、通信部１２、表示部１３及び電圧相順検出部２０から構成されている。
【００２３】
電圧入力部１は、電源線からＲ相、Ｓ相及びＴ相といった３相交流電圧を入力し、電圧検出部３に送る。なお、この実施の形態では、「Ｒ相→Ｓ相→Ｔ相」の順番を正相順、「Ｔ相→Ｓ相→Ｒ相」の順番を逆相順という。
【００２４】
電圧検出部３は、電圧入力部１から入力された３相交流電圧を、図示しない変成器で適当な電圧に変圧する。この電圧入力部１で変圧された３相交流電圧は、電圧相順検出部２０に送られる。
【００２５】
電流入力部２は、電源線の第１相の電流を電源側端子１Ｓから取り込んで電流検出部４に送る。電流検出部４は、入力された電流を図示しない第１変流器を経由して電流入力部２に戻し、電流入力部２は電流検出部４からの電流を負荷側端子１Ｌから出力する。同様に、電流入力部２は、電源線の第３相の電流を電源側端子３Ｓから取り込んで電流検出部４に送る。電流検出部４は、入力された電流を図示しない第３変流器を経由して電流入力部２に戻し、電流入力部２は電流検出部４からの電流を負荷側端子３Ｌから出力する。電流検出部４は、第１変流器及び第３変流器で検出された電流を電力演算部６に送る。
【００２６】
電圧相順検出部２０は、図２に示すように、電圧相順判定回路２１を有して構成されている。この電圧相順判定回路２１は、電圧検出部３で検出されたＲ相、Ｓ相及びＴ相の電圧を入力し、Ｒ相の電圧の位相がＴ相の電圧の位相より１２０°進んでいることが計測された場合に正相順であると判定し、その旨を表す信号を停電検出部５を経由して中央制御部７に送る。一方、Ｒ相の電圧の位相がＴ相の電圧の位相より１２０°遅れていることが計測された場合に逆相順であると判定し、その旨を表す信号を停電検出部５を経由して中央制御部７に送る。また、この電圧相順検出部２０は、電圧検出部３から送られてくるＲ相、Ｓ相及びＴ相の電圧をそのまま通過させ、電力演算部６に送る。
【００２７】
停電検出部５は、商用周波数による通電状態にあるか停電状態にあるかを判定し、判定結果を中央制御部７に送る。また、上述したように、電圧相順検出部２０からの正相順である旨を表す信号及び逆相順である旨を表す信号をそのまま通過させ、中央制御部７に送る。
【００２８】
電力演算部６は、電圧検出部３で検出されて電圧相順検出部２０を経由して送られてくる電圧と電流検出部４で検出された電流とを乗算することにより電力を算出する。電力演算部６は、図３に示すように、電力−電圧変換部６１を備えている。電力−電圧変換部６１は、本発明の電流方向検出部に対応し、算出された電力を、該電力に比例した周波数を有し且つ正又は負の符号を有するパルスに変換する。電力−電圧変換部６１は、変換されたパルスの電圧が所定の基準電圧に対して正の場合には、正方向の電流であると判定し、その旨を中央制御部７に送る。一方、変換されたパルスの電圧が所定の基準電圧に対して負の場合には、逆方向の電流であると判定し、その旨を中央制御部７に送る。
【００２９】
中央制御部７は、マイクロコンピュータから構成されており、電子式電力量計の全体を制御する。中央制御部７の動作は、後に詳述する。
【００３０】
記憶部１０は、中央制御部７によってアクセスされる。記憶部１０には、求められた電力量、電圧入力部１に入力される３相交流電圧が正相順であるか逆相順であるかを表す情報、電流入力部２に入力される電流の方向が正方向であるか逆方向であるかを表す情報等が記憶される。
【００３１】
発振回路８は、クロック信号を生成して中央制御部７に送る。中央制御部７は、発振回路８からのクロック信号に従って動作する。
【００３２】
設定／操作部９は、電子式電力量計の初期設定や設定変更を行ったり、故障診断を実行させるために使用され、設定／操作部９の操作に応じた信号は中央制御部７に送られる。中央制御部７は、設定／操作部９からの信号によって送られてくる種々のパラメータを記憶部１０に格納する。また、中央制御部７は、設定／操作部９からの信号によって送られてくる故障診断開始の信号に応じて故障診断を開始する。
【００３３】
通信部１２は、図示しない無線又は有線の回線を介してセンタ（図示しない）に接続されている。通信部１２は、センタからの要求に応答して、記憶部１０に格納されている情報を該センタに送信する。
【００３４】
表示駆動部１１は、中央制御部７からのデータに基づいて表示部１３を駆動する。表示部１３は、例えばＬＥＤ、ＬＣＤ等から構成されており、中央制御部７から表示駆動部１１を介して送られてくる情報を表示する。
【００３５】
次に、このように構成された本発明の実施の形態に係る電子式電力量計の動作を説明する。
【００３６】
まず、電圧入力部１の接続の正誤を確認する動作を説明する。なお、電力を計量する動作は、次述する電流入力部２の接続の正誤を確認する動作と合わせて説明するので、ここではその説明を省略する。
【００３７】
今、電源線が電圧入力部１に正しく接続されており、該電圧入力部１に正相順に、つまりＲ相、Ｓ相、Ｔ相の順に３相の電圧が供給されているものと仮定する。この場合、電圧検出部３は、電圧入力部１から入力された３相交流電圧を変圧して正相順で電圧相順検出部２０に送る。電圧相順検出部２０は、入力されたＲ相、Ｓ相及びＴ相の電圧の中の、Ｒ相の電圧の位相がＴ相の電圧の位相より１２０°進んでいることを計測し、正相順である旨を表す信号を停電検出部５を経由して中央制御部７に送る。
【００３８】
中央制御部７は、この正相順である旨を表す信号を受け取ると、電圧入力部１に入力される３相交流電圧が正相順であることを表す情報を記憶部１０に格納する。また、中央制御部７は、正相順であることを表す情報を表示駆動部１１を経由して表示部１３に送る。これにより、表示部１３には、正相順である旨が表示される。
【００３９】
また、中央制御部７は、センタから通信部１２を介して送られてくる要求に応答して、記憶部１０から正相順であることを表す情報を読み出し、通信部１２に送る。これにより、通信部１２は、正相順であることを表す情報をセンタに送信する。
【００４０】
次に、電源線が電圧入力部１に誤って接続されており、該電圧入力部１に逆相順に、つまりＴ相、Ｓ相、Ｒ相の順に３相の電圧が供給されているものと仮定する。この場合、電圧検出部３は、電圧入力部１から入力された３相交流電圧を変圧して逆相順で電圧相順検出部２０に送る。電圧相順検出部２０は、入力されたＴ相、Ｓ相及びＲ相の電圧の中の、Ｒ相の電圧の位相がＴ相の電圧の位相より１２０°遅れていることを計測し、逆相順である旨を表す信号を停電検出部５を経由して中央制御部７に送る。
【００４１】
中央制御部７は、この逆相順である旨を表す信号を受け取ると、電圧入力部１に入力される３相交流電圧が逆相順であることを表す情報を記憶部１０に格納する。また、中央制御部７は、逆相順であることを表す情報を表示駆動部１１を経由して表示部１３に送る。これにより、表示部１３には、逆相順である旨が表示される。
【００４２】
また、中央制御部７は、センタから通信部１２を介して送られてくる要求に応答して、記憶部１０から逆相順であることを表す情報を読み出し、通信部１２に送る。これにより、通信部１２は、逆相順であることを表す情報をセンタに送信する。
【００４３】
以上の構成により、電子式電力量計を取り付ける作業者は、電圧相順計１４を使用して調査しなくても、表示部１３を見るだけで、電圧入力部１に対する接続作業が正常に完了したかどうかを知ることができる。また、センタにおいても、電圧入力部１に対する接続作業が正常に完了したかどうかを適宜確認することができる。
【００４４】
次に、電流入力部２の接続の正誤を確認する動作を説明する。今、電源線が電圧入力部１及び電流入力部２に正しく接続されており、該電流入力部２に正方向の電流が供給されているものと仮定する。即ち、電源側端子に１Ｓ・３Ｓ、負荷側端子に１Ｌ・３Ｌが接続された場合である。この場合、電圧検出部３は、電圧入力部１から入力された３相交流電圧を変圧して正相順で電圧相順検出部２０及び電力演算部６に送る。電圧の相順の検出動作は、上述した通りである。
【００４５】
一方、電流検出部４は、電流入力部２の電源側端子１Ｓ及び３Ｓから入力された電流を図示しない第１変流器及び第３変流器を経由して電流入力部２に戻し、電流入力部２はこれを負荷側端子１Ｌ及び３Ｌから出力する。電流検出部４は、第１変流器及び第３変流器で検出された電流を電力演算部６に送る。
【００４６】
電力演算部６は、電圧検出部３から電圧相順検出部２０を経由して送られてくる電圧と電流検出部４で検出された電流とを乗算することにより電力を算出し、更に、算出された電力を、該電力に比例した周波数を有し且つ正の符号を有するパルスに変換する。この場合、電力演算部６の中の電力−電圧変換部６１は、パルスの電圧が所定の基準電圧に対して正であるので、正方向の電流であると判定し、その旨を表す信号を中央制御部７に送る。
【００４７】
中央制御部７は、この正方向の電流である旨を表す信号を受け取ると、電流入力部２に入力される電流の方向が正方向であることを表す情報を記憶部１０に格納する。また、中央制御部７は、正方向であることを表す情報を表示駆動部１１を経由して表示部１３に送る。これにより、表示部１３には、電流入力部２の電流の方向は正方向である旨が表示される。
【００４８】
また、中央制御部７は、センタから通信部１２を介して送られてくる要求に応答して、記憶部１０から正方向であることを表す情報を読み出し、通信部１２に送る。これにより、通信部１２は、電流入力部２の電流の方向は正方向であることを表す情報をセンタに送信する。
【００４９】
更に、中央制御部７は、停電検出部５から通電状態であることが判定されている場合に、電力演算部６から供給されるパルスを計数して記憶部１０に累算する。この記憶部１０に累算されたパルス数は電力量に換算され、一次側電力の定格による分周の割合で再度演算され、使用電力量として記憶部１０に格納されると共に、表示駆動部１１を経由して表示部１３に送られる。これにより、表示部１３には、使用電力量が表示される。
【００５０】
また、中央制御部７は、センタから通信部１２を介して送られてくる要求に応答して、記憶部１０から使用電力量を表す情報を読み出し、通信部１２に送る。これにより、通信部１２は、使用電力量を表す情報をセンタに送信する。センタでは、この使用電力量に基づいて課金等が行われる。
【００５１】
次に、電源線が電圧入力部１には正しく接続されているが、電流入力部２に正しく接続されておらず、該電流入力部２に逆方向の電流が供給されているものと仮定する。電流の逆方向は、電源側端子１Ｓ・３Ｓ、負荷側端子１Ｌ・３Ｌに接続されるところを、電源側端子１Ｌ・３Ｌ、負荷側端子１Ｓ・３Ｓが接続された場合を示す。即ち、電源側と負荷側とが入れ違いになった場合である。なお、電源側端子１Ｓ・３Ｌ、負荷側端子１Ｌ・３Ｓに接続などの片側の場合も異常接続とされる。
【００５２】
次に、電圧検出部３は、電圧入力部１から入力された３相交流電圧を変圧して正相順で電圧相順検出部２０及び電力演算部６に送る。電圧の相順の検出動作は、上述した通りである。
【００５３】
一方、電流検出部４は、電流入力部２の電源側端子１Ｌ及び３Ｌから入力された電流を図示しない第１変流器及び第３変流器を経由して電流入力部２に戻し、電流入力部２はこれを負荷側端子１Ｓ及び３Ｓから出力する。電流検出部４は、第１変流器及び第３変流器で検出された電流を電力演算部６に送る。
【００５４】
電力演算部６は、電圧検出部３から電圧相順検出部２０を経由して送られてくる電圧と電流検出部４で検出された電流とを乗算することにより電力を算出し、更に、算出された電力を、該電力に比例した周波数を有し且つ正の符号を有するパルスに変換する。この場合、電力演算部６の中の電力−電圧変換部６１は、パルスの電圧が所定の基準電圧に対して負であるので、逆方向の電流であると判定し、その旨を表す信号を中央制御部７に送る。
【００５５】
中央制御部７は、この逆方向の電流である旨を表す信号を受け取ると、電流入力部２に入力される電流の方向が逆方向であることを表す情報を記憶部１０に格納する。また、中央制御部７は、逆方向であることを表す情報を表示駆動部１１を経由して表示部１３に送る。これにより、表示部１３には、電流入力部２の電流の方向は逆方向である旨が表示される。
【００５６】
また、中央制御部７は、センタから通信部１２を介して送られてくる要求に応答して、記憶部１０から逆方向であることを表す情報を読み出し、通信部１２に送る。これにより、通信部１２は、電流入力部２の電流の方向は逆方向であることを表す情報をセンタに送信する。
【００５７】
以上の構成により、電子式電力量計を取り付ける作業者は、電流方向計１５を使用して調査しなくても、表示部１３を見るだけで、電流入力部２に対する接続作業が正常に完了したかどうかを知ることができる。また、センタにおいても、電流入力部２に対する接続作業が正常に完了したかどうかを適宜確認することができる。
【００５８】
以上説明したように本発明の実施の形態に係る電子式電力量計によれば、その内部で自己の接続チェックがなされることにより、外部から供給される３相交流電力の電圧の相順の確認が可能になり、電子式電力量計の表示で誤配線の有無を確認できる。しかも、通信によって外部から誤配線の有無を監視できるので、工事時及び電子式電力量計の交換時の配線ミスを発見することができる。
【００５９】
また、外部から供給される３相交流電力の電流についても、その電流が流れる方向を判定できるので、負荷容量に合致する計量が可能になり、料金取引きの正確性及び安全性並びに信頼性を向上させることができる。
【００６０】
【発明の効果】
以上詳述したように、本発明によれば、接続状態を簡単に確認できる電子式電力量計を提供できる。
【図面の簡単な説明】
【図１】本発明の実施の形態に係る電子式電力量計の構成を示すブロック図である。
【図２】本発明の実施の形態に係る電子式電力量計における電圧相順検出部の構成を示すブロック図である。
【図３】本発明の実施の形態に係る電子式電力量計における電力演算部に含まれる電力−電圧変換部の構成を示すブロック図である。
【図４】従来の電子式電力量計の構成を示すブロック図である。
【符号の説明】
１　電圧入力部
２　電流入力部
３　電圧検出部
４　電流検出部
５　停電検出部
６　電力演算部
７　中央制御部
８　発振回路
９　設定／操作部
１０　記憶部
１１　表示駆動部
１２　通信部
１３　表示部
１４　電圧相順計
１５　電流方向計
２０　電圧相順検出部
２１　電圧相順判定回路
６１　電力−電圧変換部
【図１】
2004138494.tif 000003
【図２】
2004138494.tif 000004
【図３】
2004138494.tif 000005
【図４】
2004138494.tif 000006